(57)【要約】【課題】プロキシサーバに委託する内容を的確に制御し、必要なタイミングで確実に通信端末を起動させる当該通信端末、代理サーバ及び端末制御方法を提供する。【解決手段】通信端末１０は、代理サーバへアップロードするファイルを管理するファイル管理部１０１と、自端末をスリープ状態にする際に停止する機能を示す省電力モードを決定する電力管理部１０２と、自端末がスリープ状態においても使用可能な機能を管理する通信管理部１０３と、ファイルに関する情報と、省電力モードと、使用可能な機能とを代理サーバへ送信する通信部１０５とを備える。電力管理部１０２は、通信部１０５が送信した後に、省電力モードに従い、自端末の機能を停止させる。【選択図】図１
2008079161.tif 000002
【特許請求の範囲】
【請求項１】
代理サーバへアップロードするファイルを管理するファイル管理部と、
自端末をスリープ状態にする際に停止する機能を示す省電力モードを決定する電力管理部と、
自端末がスリープ状態においても使用可能な機能を管理する通信管理部と、
前記ファイルに関する情報と、前記省電力モードと、前記使用可能な機能とを前記代理サーバへ送信する通信部とを備え、
前記通信部が送信した後に、前記電力管理部は、前記省電力モードに従い、自端末の機能を停止させることを特徴とする通信端末。
【請求項２】
前記ファイル管理部は、ファイル毎に、アップロードの内容を決定し、
前記通信部は、前記ファイルに関する情報として、前記ファイル管理部によって決定されたアップロードの内容を送信することを特徴とする請求項１に記載の通信端末。
【請求項３】
前記通信管理部は、スリープ状態においても使用可能な機能として、自端末の通信手段と当該通信手段のアドレスとを管理することを特徴とする請求項１又は２に記載の通信端末。
【請求項４】
前記通信管理部は、前記ファイル毎に、前記ファイルを起動するために必要な機能を管理し、
前記通信部は、前記ファイルに関する情報と、前記省電力モードと、前記使用可能な機能に加え、当該ファイルを起動するために必要な機能を前記代理サーバへ送信することを特徴とする請求項１〜３のいずれか１項に記載の通信端末。
【請求項５】
自端末が前記代理サーバとアクセスできる圏内にいることを検知する圏内検知部を更に備え、
前記ファイル管理部は、前記圏内検知部からの通知により、前記ファイルの管理を行うことを特徴とする請求項１〜４のいずれか１項に記載の通信端末。
【請求項６】
自端末内の状況を検知する端末内状況検知部を更に備え、
前記電力管理部は、前記端末内状況検知部からの通知に基づいて、前記省電力モードを決定することを特徴とする請求項１〜５のいずれか１項に記載の通信端末。
【請求項７】
通信端末から、代理サーバへアップロードするファイルに関する情報と、当該通信端末をスリープ状態にする際に停止する機能を示す省電力モードと、当該通信端末がスリープ状態においても使用可能な機能とを受信する通信部と、
他の端末から特定のファイルへのアクセス要求を受信した場合、前記通信端末を起動させることが必要であるか否かを判断するファイル管理部と、
前記通信端末を起動させることが必要である場合、前記通信端末がスリープ状態においても使用可能な機能を用いて前記通信端末を起動させる端末起動部と、
を備えることを特徴とする代理サーバ。
【請求項８】
前記通信部は、前記ファイルに関する情報と、前記省電力モードと、前記使用可能な機能に加え、前記ファイル毎に、前記ファイルを起動するために必要な機能を受信し、
前記端末起動部は、前記通信端末の前記ファイルを起動するために必要な機能を起動させることを特徴とする請求項７に記載の代理サーバ。
【請求項９】
通信端末が、代理サーバへアップロードするファイルを管理するステップと、
前記通信端末が、自端末をスリープ状態にする際に停止する機能を示す省電力モードを決定するステップと、
前記通信端末が、自端末がスリープ状態においても使用可能な機能を管理するステップと、
前記通信端末が、前記ファイルに関する情報と、前記省電力モードと、前記使用可能な機能とを前記代理サーバへ送信するステップと、
前記通信端末が、前記省電力モードに従い、自端末の機能を停止させるステップと、
前記代理サーバが、他の端末から特定のファイルへのアクセス要求を受信した場合、前記通信端末を起動させることが必要であるか否かを判断するステップと、
前記代理サーバが、前記通信端末を起動させることが必要である場合、前記通信端末がスリープ状態においても使用可能な機能を用いて前記通信端末を起動させるステップと
を含むことを特徴とする端末制御方法。
【発明の詳細な説明】
【技術分野】
【０００１】
本発明は、通信端末、代理サーバ及び端末制御方法に関する。
【背景技術】
【０００２】
従来、他の装置の機能を代理するプロキシサーバが知られている。例えば、家庭内機器から、携帯電話等の通信端末に保存された、写真や映像等のコンテンツにアクセスする場合、通信端末に保存されているコンテンツをプロキシサーバにアップロードすることにより、通信端末の機能をプロキシサーバが代理することができる。このように、他の装置のすべての応答を代理するプロキシサーバは開示されている（例えば、特許文献１参照。）。特に、通信端末においては、無線ＬＡＮやアプリケーションの実行に電力を消費するため、プロキシサーバを設置することにより、省電力化を図ることができる。
【０００３】
又、更なる省電力化を図るため、プロキシサーバが代理として機能している間は、通信端末をスリープ状態にし、必要なタイミングで通信端末を起動させる技術も開示されている（例えば、特許文献２参照。）。
【特許文献１】特許第３７３３７０９号公報
【特許文献２】特開２００５−２２３５８６号公報
【発明の開示】
【発明が解決しようとする課題】
【０００４】
しかしながら、特許文献１では、すべての応答をプロキシサーバに委託するが、著作権付きコンテンツなどがあり、すべてをプロキシサーバにコピーできるわけではない。この場合、プロキシサーバを検索した結果、所望のコンテンツが見つからない場合もある。
【０００５】
又、特許文献２では、通信端末を起動させる際、無線ＬＡＮのインターフェースまでスリープ状態になっていることも考えられるため、必要なときに通信端末を起動させられない場合がある。
【０００６】
そこで、本発明は、上記の課題に鑑み、プロキシサーバに委託する内容を的確に制御し、必要なタイミングで確実に通信端末を起動させる当該通信端末、代理サーバ及び端末制御方法を提供することを目的とする。
【課題を解決するための手段】
【０００７】
上記目的を達成するため、本発明の第１の特徴は、（ａ）代理サーバへアップロードするファイルを管理するファイル管理部と、（ｂ）自端末をスリープ状態にする際に停止する機能を示す省電力モードを決定する電力管理部と、（ｃ）自端末がスリープ状態においても使用可能な機能を管理する通信管理部と、（ｄ）ファイルに関する情報と、省電力モードと、使用可能な機能とを代理サーバへ送信する通信部とを備え、（ｅ）通信部が送信した後に、電力管理部は、省電力モードに従い、自端末の機能を停止させる通信端末であることを要旨とする。
【０００８】
第１の特徴に係る通信端末によると、プロキシサーバに委託する内容を的確に制御し、必要なタイミングで確実に起動することができる。
【０００９】
又、第１の特徴に係る通信端末のファイル管理部は、ファイル毎に、アップロードの内容を決定し、通信部は、ファイルに関する情報として、ファイル管理部によって決定されたアップロードの内容を送信してもよい。
【００１０】
又、第１の特徴に係る通信端末の通信管理部は、スリープ状態においても使用可能な機能として、自端末の通信手段と当該通信手段のアドレスとを管理してもよい。
【００１１】
又、第１の特徴に係る通信端末の通信管理部は、ファイル毎に、ファイルを起動するために必要な機能を管理し、通信部は、ファイルに関する情報と、省電力モードと、使用可能な機能に加え、当該ファイルを起動するために必要な機能を代理サーバへ送信してもよい。
【００１２】
又、第１の特徴に係る通信端末は、自端末が代理サーバとアクセスできる圏内にいることを検知する圏内検知部を更に備え、ファイル管理部は、圏内検知部からの通知により、ファイルの管理を行ってもよい。
【００１３】
又、第１の特徴に係る通信端末は、自端末内の状況を検知する端末内状況検知部を更に備え、電力管理部は、端末内状況検知部からの通知に基づいて、省電力モードを決定してもよい。
【００１４】
本発明の第２の特徴は、（ａ）通信端末から、代理サーバへアップロードするファイルに関する情報と、当該通信端末をスリープ状態にする際に停止する機能を示す省電力モードと、当該通信端末がスリープ状態においても使用可能な機能とを受信する通信部と、（ｂ）他の端末から特定のファイルへのアクセス要求を受信した場合、通信端末を起動させることが必要であるか否かを判断するファイル管理部と、（ｃ）通信端末を起動させることが必要である場合、通信端末がスリープ状態においても使用可能な機能を用いて通信端末を起動させる端末起動部とを備える代理サーバであることを要旨とする。
【００１５】
第２の特徴に係る代理サーバによると、プロキシサーバに委託する内容を的確に制御し、必要なタイミングで確実に通信端末を起動させることができる。
【００１６】
又、第２の特徴に係る代理サーバの通信部は、ファイルに関する情報と、省電力モードと、使用可能な機能に加え、ファイル毎に、ファイルを起動するために必要な機能を受信し、端末起動部は、通信端末のファイルを起動するために必要な機能を起動させてもよい。
【００１７】
本発明の第３の特徴は、（ａ）通信端末が、代理サーバへアップロードするファイルを管理するステップと、（ｂ）通信端末が、自端末をスリープ状態にする際に停止する機能を示す省電力モードを決定するステップと、（ｃ）通信端末が、自端末がスリープ状態においても使用可能な機能を管理するステップと、（ｄ）通信端末が、ファイルに関する情報と、省電力モードと、使用可能な機能とを代理サーバへ送信するステップと、（ｅ）通信端末が、省電力モードに従い、自端末の機能を停止させるステップと、（ｆ）代理サーバが、他の端末から特定のファイルへのアクセス要求を受信した場合、通信端末を起動させることが必要であるか否かを判断するステップと、（ｇ）代理サーバが、通信端末を起動させることが必要である場合、通信端末がスリープ状態においても使用可能な機能を用いて通信端末を起動させるステップとを含む端末制御方法であることを要旨とする。
【００１８】
第３の特徴に係る端末制御方法によると、プロキシサーバに委託する内容を的確に制御し、必要なタイミングで確実に通信端末を起動させることができる。
【発明の効果】
【００１９】
本発明によると、プロキシサーバに委託する内容を的確に制御し、必要なタイミングで確実に通信端末を起動させる当該通信端末、代理サーバ及び端末制御方法を提供することができる。
【発明を実施するための最良の形態】
【００２０】
次に、図面を参照して、本発明の実施の形態を説明する。以下の図面の記載において、同一又は類似の部分には、同一又は類似の符号を付している。ただし、図面は模式的なものであることに留意すべきである。
【００２１】
（端末制御システム）
本実施形態に係る端末制御システムは、通信端末１０と、代理サーバ２０と、他の端末３０とから構成される。通信端末１０としては、例えば、携帯電話等の移動端末が挙げられる。他の端末３０としては、テレビ等のコンテンツを再生する端末装置が挙げられる。
【００２２】
本実施形態は、通信端末１０が有するファイルを代理サーバ２０へアップロードし、他の端末３０が代理サーバ２０へ接続することにより、当該ファイルを利用することができるシステムに関する。
【００２３】
通信端末１０は、ファイル管理部１０１と、電力管理部１０２と、通信管理部１０３と、各モジュール１０４と、通信部１０５とを備える。
【００２４】
ファイル管理部１０１は、代理サーバ２０へアップロードするファイルを管理する。又、ファイル管理部１０１は、ファイル毎に、アップロードの内容を決定する。例えば、ファイル管理部１０１は、ファイル毎に、ファイル自体をアップロードするか、ファイルの目次のみをアップロードするか、何もアップロードしないかを決定し、後述する通信部１０５へ、当該ファイル自体あるいは当該ファイルの目次を送信する。
【００２５】
電力管理部１０２は、自端末をスリープ状態にする際に停止する機能を示す省電力モードを決定する。又、電力管理部１０２は、後述する通信部１０５がデータを送信した後に、省電力モードに従い、自端末の機能を停止させる。
【００２６】
通信管理部１０３は、自端末がスリープ状態においても使用可能な機能を管理する。通信管理部１０３は、スリープ状態においても使用可能な機能として、自端末の通信手段と当該通信手段のアドレスとを管理する。通信手段としては、例えば、無線ＬＡＮ、セルラ、ＳＭＳ等が挙げられる。対応するアドレスとしては、例えば、ＩＰアドレス、電話番号、メールアドレスが挙げられる。又、通信管理部１０３は、ファイル毎に、ファイルを起動するために必要な機能を管理する。例えば、動画像ファイルである場合は、動画像を再生するモジュールと、当該動画像ファイルを対応付けて管理する。
【００２７】
通信部１０５は、ファイルに関する情報と、省電力モードと、使用可能な機能とを代理サーバへ送信する。又、通信部１０５は、ファイルに関する情報として、ファイル管理部１０１によって決定されたアップロードの内容を送信する。例えば、通信部１０５は、当該ファイル自体あるいは当該ファイルの目次を送信する。又、通信部１０５は、当該ファイルを起動するために必要な機能を代理サーバ２０へ送信する。
【００２８】
各モジュール１０４は、通信手段やファイル再生手段といった、通信端末１０の有する各機能を示している。
【００２９】
又、通信端末１０は、図２に示すように、圏内検知部１０６や端末内状況検知部１０７を備えてもよい。
【００３０】
圏内検知部１０６は、自端末が代理サーバとアクセスできる圏内にいることを検知する。このとき、ファイル管理部１０１は、圏内検知部１０６からの通知により、ファイルの管理を行う。
【００３１】
端末内状況検知部１０７は、自端末内の状況を検知する。自端末内の状況としては、例えば、電力状態や、他のアプリケーションの状態、デバイス状態などが挙げられる。このとき、電力管理部１０２は、端末内状況検知部１０７からの通知に基づいて、省電力モードを決定する。
【００３２】
又、代理サーバ２０は、図１に示すように、ファイル管理部２０１と、端末起動部２０２と、通信部２０３とを備える。
【００３３】
通信部２０３は、通信端末１０から、代理サーバ２０へアップロードするファイルに関する情報と、当該通信端末１０をスリープ状態にする際に停止する機能を示す省電力モードと、当該通信端末１０がスリープ状態においても使用可能な機能とを受信する。又、通信部２０３は、ファイル毎に、ファイルを起動するために必要な機能を受信する。
【００３４】
ファイル管理部２０１は、他の端末３０から特定のファイルへのアクセス要求を受信した場合、通信端末１０を起動させることが必要であるか否かを判断する。
【００３５】
端末起動部２０２は、通信端末１０を起動させることが必要である場合、通信端末１０がスリープ状態においても使用可能な機能を用いて通信端末１０を起動させる。又、端末起動部２０２は、通信端末１０のファイルを起動するために必要な機能を起動させる。
【００３６】
他の端末３０は、図１に示すように、通信部３０１を備える。
【００３７】
通信部３０１は、代理サーバ２０へ特定のファイルへのアクセス要求を送信する。
【００３８】
（端末制御方法）
次に、本実施形態に係る端末制御方法について説明する。まず、通信端末１０をスリープ状態に移行させるまでの処理について、図３〜７を用いて説明する。
【００３９】
図３及び図４は、通信端末１０の処理を示すフローチャートである。
【００４０】
図３のステップＳ１０１において、通信端末１０のファイル管理部１０１は、保持しているファイルのアクセス権の確認を行う。ここで、アクセス権としては、以下のような種類がある。即ち、ファイルのすべてを代理サーバ２０へアップロードし、すべての処理を代理サーバ２０へ委託する完全公開や、ファイルの目次のみを代理サーバ２０へアップロードし、ファイルの検索処理は代理サーバ２０へ委託し、実際のファイルのダウンロードは、通信端末１０から行う著作権保護付コンテンツや、まったくファイルのアップロードは行わない未公開などである。
【００４１】
そして、代理サーバ２０へアップロードするファイルや目次の確認を行い、推奨される省電力モードを決定する。このファイル管理部１０１の処理は、ファイルの構成が変わったとき、アクセス権が変わったとき、ユーザが省電力ボタンを押下したときなどをトリガーとして、実行されてもよい。
【００４２】
次に、ステップＳ１０２において、電力管理部１０２は、推奨される省電力モードと、例えば残り電力などの端末状況から、省電力モードを決定する。
【００４３】
次に、ステップＳ１０３において、通信管理部１０３は、省電力モードから使用可能な起動通信手段を複数列挙し、所定のルールに従って順列をつける。
【００４４】
次に、ステップＳ１０４において、通信部１０５は、省電力モード、起動通信手段、ファイルや目次をプロキシ（代理サーバ２０）へアップロードする。
【００４５】
次に、ステップＳ１０５において、電力管理部１０２は、省電力モードに従い、各モジュール１０４をスリープ状態へ移行する。
【００４６】
又、図３のステップＳ１０１において、ファイル管理部１０１が処理を実行するトリガーとして、圏内検知部１０６が代理サーバ２０の圏内にいると検知した場合としてもよい。
【００４７】
又、図３のステップＳ１０２において、電力管理部１０２は、端末状況（例えば、電力状態、他のアプリケーションの状態、デバイス状態など）を端末内状況検知部１０７から取得してもよい。
【００４８】
又、図３において、Ｓ１０１とＳ１０２の処理の順序を逆にしてもよい。即ち、まず、電力管理部１０２が推奨される省電力モードと端末状況とから、省電力モードを決定する。そして、ファイル管理部１０１がアクセス権と推奨省電力モードから、アップロードするファイルや目次を確認する。例えば、ファイルをすべてアップロードする完全停止モードであれば、ファイルをすべてアップロードする。
【００４９】
又、図４に示すように、ファイル管理部１０１における処理（Ｓ２０１）と、電力管理部１０２における処理（Ｓ２０２）がそれぞれ独立して実行され、通信部１０５は、それぞれから、省電力モード、起動通信手段、ファイルや目次を受信し、代理サーバ２０にアップロードしてもよい。
【００５０】
次に、図５を用いて、通信端末１０と代理サーバ２０の動作を含めた端末制御方法について説明する。
【００５１】
まず、通信端末１０のファイル管理部１０１は、アクセス権とファイル及び目次の確認を行い、推奨省電力モードを決定する（Ｓ３０１）。次に、ファイル管理部１０１は、電力管理部１０２へ推奨省電力モードを送信する（Ｓ３０２）。ここで、推奨省電力モードとは、アクセス権から推奨される省電力モードを指す。
【００５２】
次に、電力管理部１０２は、端末状態と推奨省電力モードから省電力モードを決定する（Ｓ３０３）。次に、電力管理部１０２は、通信管理部１０３へ省電力モードを送信する（Ｓ３０４）。次に、通信管理部１０３は、使用可能な起動通信手段を列挙し、並べる（Ｓ３０５）。そして、通信管理部１０３は、通信部１０５へ起動通信手段を送信し、電力管理部１０２は、通信部１０５へ省電力モードを送信し、ファイル管理部１０１は、通信部１０５へファイルあるいは目次を送信する（Ｓ３０６）。そして、これらの情報を受信した通信部１０５は、代理サーバ２０の通信部２０３へ、これらの情報を送信する。
【００５３】
一方、電力管理部１０２は、省電力モードに従い、各モジュール１０４を停止する（Ｓ３０７）。
【００５４】
次に、代理サーバ２０の通信部２０３は、ファイルあるいは目次をファイル管理部２０１へ送信し、ファイル管理部２０１は、ファイルあるいは目次を管理する（Ｓ３０８）。又、通信部２０３は、起動通信手段及び省電力モードを端末起動部２０２へ送信し、端末起動部２０２は、起動通信手段及び省電力モードを管理する（Ｓ３０９）。
【００５５】
図６は、通信端末１０が圏内検知部１０６及び端末内状況検知部１０７を備える場合のシーケンス図である。
【００５６】
まず、圏内検知部１０６は、通信端末１０がプロキシ（代理サーバ２０）の通信圏内にいることを検知する（Ｓ４０１）。そして、圏内にいることをファイル管理部１０１へ通知する（Ｓ４０２）。ファイル管理部１０１は、圏内検知部からの通知をトリガーとして、ファイルの管理処理を実行する。ステップＳ４０３及びＳ４０４は、図５のステップ３０１及びＳ３０２と同様であるのでここでは説明を省略する。
【００５７】
次に、電力管理部１０２は、端末内状況検知部１０７へ端末内状況確認依頼を行う（Ｓ４０５）。そして、その結果を受信した電力管理部１０２は、省電力モードを決定する。ステップＳ４０６〜４１２は、図５のステップＳ３０３〜３０９と同様であるのでここでは説明を省略する。
【００５８】
図７は、電力管理部によって省電力モードを決定した後に、ファイル管理部１０１が処理を実行する場居のシーケンス図である。
【００５９】
まず、端末内状況検知部１０７は、端末内状況の変化を検知する（Ｓ５０１）。次に、状況を電力管理部１０２に通知する（Ｓ５０２）。
【００６０】
次に、電力管理部１０２は、端末内状況、推奨省電力モードから省電力モードを決定する（Ｓ５０３）。そして、省電力モードをファイル管理部１０１に送信する（Ｓ５０４）。ファイル管理部１０１は、推奨省電力モードとアクセス権から、アップロード内容を確認する（Ｓ５０５）。この内容でＯＫであれば、肯定応答を電力管理部１０２へ送信する。そして、電力管理部１０２は、省電力モードを通信管理部１０３へ送信する。
【００６１】
ステップＳ５０８〜５１２は、図５のステップＳ３０５〜３０９と同様であるのでここでは説明を省略する。
【００６２】
次に、通信端末１０がスリープ状態にあるときから起動させる場合の動作について、図８〜１０を用いて説明する。
【００６３】
図８のステップＳ６０１〜６０４は、図５で説明した動作と同様であるのでここでは説明を省略する。
【００６４】
次に、他の端末３０の通信部３０１は、移動機（通信端末１０）の発見し、ファイルの検索を代理サーバ２０の通信部２０３へ依頼する（Ｓ６０５）。通信部２０３は、ファイル管理部２０１へ、ファイルの検索依頼を通知する。ファイル管理部２０１は、検索結果を通信部２０３へ返信し（Ｓ６０６）、通信部２０３は、検索結果を他の端末３０の通信部３０１へ送信する。
【００６５】
一方、ファイル管理部２０１は、ステップＳ６０６と同時に通信端末１０へ部分的に起動することを要求する（Ｓ６０７）。通信端末１０の電力管理部１０２は、各モジュール１０４を部分起動させ（Ｓ６０８）、各モジュール１０４は、起動確認を電力管理部１０２へ返信し、電力管理部１０２は、起動確認を代理サーバ２０の端末起動部２０２へ返信する（Ｓ６０９）。
【００６６】
又、電力管理部１０２は、通信手段を確認し（Ｓ６１０）、通信管理部１０３へ通知し、通信管理部１０３は、起動内容からその後の通信手段を決定する（Ｓ６１１）。そして、通信管理部１０３は、通信手段を電力管理部１０２へ送信し、電力管理部１０２は、代理サーバ２０のファイル管理部２０１へ通信手段を送信する（Ｓ６１２）。
【００６７】
次に、代理サーバ２０のファイル管理部２０１は、ファイルへのリンクを通信端末１０向けにアップロードする（Ｓ６１３）。そして、他の端末３０の通信部３０１は、通信端末１０のファイル管理部１０１へファイルのダウンロード要求を送信し（Ｓ６１４）、ファイル管理部１０１は、他の端末３０へファイルをダウンロードする（Ｓ６１５）。
【００６８】
図９は、通信端末１０が圏内検知部１０６及び端末内状況検知部１０７を備える場合のシーケンス図である。
【００６９】
図９のステップＳ７０１〜７０４は、図６で説明した動作と同様であるのでここでは説明を省略する。又、ステップＳ７０５〜７０７は、図８のステップＳ６０５〜６０７と同様であるのでここでは説明を省略する。
【００７０】
次に、通信端末１０の電力管理部１０２は、端末内状況検知部１０７へ端末内状況確認を依頼する（Ｓ７０８）。そして、端末内状況検知部１０７は電力管理部１０２へその結果を通知する。
【００７１】
ステップＳ７０９〜７１６は、図８のステップＳ６０８〜６１５と同様であるのでここでは説明を省略する。
【００７２】
図８及び図９は、通信端末１０から直接ファイルをダウンロードしたが、図１０は、代理サーバ２０経由でファイルをダウンロードする場合のシーケンス図である。
【００７３】
図１０のステップＳ８０１〜８０４は、図６で説明した動作と同様であるのでここでは説明を省略する。又、ステップＳ８０５〜８１４は、図９のステップＳ７０５〜７１４と同様であるのでここでは説明を省略する。
【００７４】
次に、他の端末３０の通信部３０１は、代理サーバ２０の通信部２０３を経由して、通信端末１０のファイル管理部１０１へファイルのダウンロード要求を送信する（Ｓ８１５）。そして、ファイル管理部１０１は、代理サーバ２０の通信部２０３を経由して、他の端末３０へファイルをダウンロードする（Ｓ８１６）。
【００７５】
（作用及び効果）
本実施形態に係る通信端末１０及び端末制御方法によると、ファイルに関する情報と、省電力モードと、使用可能な機能とを代理サーバへ送信することにより、代理サーバ２０に委託する内容を的確に制御し、必要なタイミングで確実に起動することができる。
【００７６】
又、通信端末１０のファイル管理部１０１は、ファイル毎に、ファイル自体をアップロードするか、ファイルの目次のみをアップロードするか、何もアップロードしないかを決定し、通信部１０５へ、当該ファイル自体あるいは当該ファイルの目次を送信し、通信部１０５は、ファイルに関する情報として、当該ファイル自体あるいは当該ファイルの目次を送信する。このため、ファイルのアクセス権によって、ファイルの管理を変更することができ、著作権付きコンテンツなどについても、柔軟に対応することができる。
【００７７】
又、通信端末１０の通信管理部１０３は、スリープ状態においても使用可能な機能として、自端末の通信手段と当該通信手段のアドレスとを管理する。このため、通信端末１０がスリープ状態であっても、代理サーバ２０は適切な通信手段を用いて、通信端末１０を起動させることができる。
【００７８】
又、通信端末１０の通信管理部１０３は、ファイル毎に、ファイルを起動するために必要な機能を管理し、通信部１０５は、ファイルに関する情報と、省電力モードと、使用可能な機能に加え、当該ファイルを起動するために必要な機能を代理サーバ２０へ送信する。このため、代理サーバ２０は、ファイルの種類によって、通信端末１０の必要な機能のみを起動させることができる。
【００７９】
又、通信端末１０は、自端末が代理サーバ２０とアクセスできる圏内にいることを検知する圏内検知部１０６を更に備え、ファイル管理部１０１は、圏内検知部１０６からの通知により、ファイルの管理を行う。このため、代理サーバ２０とアクセスできるタイミングで、ファイル管理部１０１は、ファイルの管理を実行することができる。
【００８０】
又、通信端末１０は、自端末内の状況を検知する端末内状況検知部１０７を更に備え、電力管理部１０２は、端末内状況検知部１０７からの通知に基づいて、省電力モードを決定する。このため、電力管理部１０２は、端末内状況に基づいて、動的に制御を行うことができる。
【００８１】
本実施形態に係る代理サーバ２０によると、通信端末１０から、代理サーバ２０へアップロードするファイルに関する情報と、当該通信端末をスリープ状態にする際に停止する機能を示す省電力モードと、当該通信端末がスリープ状態においても使用可能な機能とを受信し、通信端末１０を起動させることが必要である場合、通信端末がスリープ状態においても使用可能な機能を用いて通信端末を起動させることができる。このように、代理サーバ２０に委託する内容を的確に制御し、必要なタイミングで確実に通信端末１０を起動させることができる。
【００８２】
又、代理サーバ２０の通信部２０３は、ファイルに関する情報と、省電力モードと、使用可能な機能に加え、ファイル毎に、ファイルを起動するために必要な機能を受信し、端末起動部２０２は、通信端末のファイルを起動するために必要な機能を起動させる。このため、このため、代理サーバ２０は、ファイルの種類によって、通信端末１０の必要な機能のみを起動させることができる。
【００８３】
（その他の実施の形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００８４】
例えば、上記実施形態において、通信端末１０からファイルや目次を代理サーバ２０にアップロードすることについて説明したが、アクセス権の変更などがあった場合には、代理サーバ２０上のファイルを削除したり、ダウンロードしたりして、通信端末１０と代理サーバ２０の整合性をとる必要がある。
【００８５】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００８６】
【図１】本実施形態に係る端末制御システムの構成ブロック図である。
【図２】本実施形態に係る端末制御システムの他の構成ブロック図である。
【図３】本実施形態に係る端末制御方法を示すフローチャートである（その１）。
【図４】本実施形態に係る端末制御方法を示すフローチャートである（その２）。
【図５】本実施形態に係る端末制御方法において移動端末を停止する際の方法を示すフローチャートである（その１）。
【図６】本実施形態に係る端末制御方法において移動端末を停止する際の方法を示すフローチャートである（その２）。
【図７】本実施形態に係る端末制御方法において移動端末を停止する際の方法を示すフローチャートである（その３）。
【図８】本実施形態に係る端末制御方法において移動端末を起動する際の方法を示すフローチャートである（その１）。
【図９】本実施形態に係る端末制御方法において移動端末を起動する際の方法を示すフローチャートである（その２）。
【図１０】本実施形態に係る端末制御方法において移動端末を起動する際の方法を示すフローチャートである（その３）。
【符号の説明】
【００８７】
１０…通信端末
２０…代理サーバ
３０…他の端末
１０１…ファイル管理部
１０２…電力管理部
１０３…通信管理部
１０４…モジュール
１０５…通信部
１０６…圏内検知部
１０７…端末内状況検知部
２０１…ファイル管理部
２０２…端末起動部
２０３…通信部
３０１…通信部
【図１】
2008079161.tif 000003
【図２】
2008079161.tif 000004
【図３】
2008079161.tif 000005
【図４】
2008079161.tif 000006
【図５】
2008079161.tif 000007
【図６】
2008079161.tif 000008
【図７】
2008079161.tif 000009
【図８】
2008079161.tif 000010
【図９】
2008079161.tif 000011
【図１０】
2008079161.tif 000012